(57)【要約】【課題】簡単かつ安全に道路標識に目隠しをすることができる道路標識目隠し具を提供する。【解決手段】道路標識の標識部分を目隠しする目隠しカバー１０と、この目隠しカバー１０を道路標識にかける取付具２０とを備える。目隠しカバー１０は、カバー本体１１と、カバー本体１１の一面側上方に設けられ、道路標識にかけるための第１の袋状部１２と、カバー本体１１の他面側上方に設けられ、取付具２０を挿入するための第２の袋状部１３とを有している。取付具２０は、棒状の把持部材２１と、把持部材２１の一方の端部側に配設された棒状の複数の支持部材２２とを有している。各支持部材２２は、基端側を把持部材２１の側とし、基端側よりも先端側の方が互いの間隔が広くなるように配設されている。【選択図】図１
2014145220.tif 000002
【特許請求の範囲】
【請求項１】
道路標識の標識部分を目隠しする目隠しカバーと、この目隠しカバーを道路標識にかける取付具とを備え、
前記目隠しカバーは、道路標識の標識部分を覆うカバー本体と、カバー本体の一面側上方に設けられ、道路標識にかけるための第１の袋状部と、カバー本体の他面側上方に設けられ、前記取付具を挿入するための第２の袋状部とを有し、
前記取付具は、棒状の把持部材と、この把持部材の一方の端部側に配設された棒状の複数の支持部材とを有し、
前記複数の支持部材は、それぞれ、基端側を前記把持部材の側とし、基端側よりも先端側の方が互いの間隔が広くなるように配設されており、
前記複数の支持部材の先端側を前記第２の袋状部に挿入し、前記取付具を持ち上げて、前記第１の袋状部を道路標識にかぶせることにより、道路標識に目隠しをすることが可能である
ことを特徴とする道路標識目隠し具。
【請求項２】
前記支持部材は、先端側における互いの間隔を接近又は離間させるように変位可能とされていることを特徴とする請求項１記載の道路標識目隠し具。
【請求項３】
前記把持部材は、伸縮可能であることを特徴とする請求項１又は請求項２記載の道路標識目隠し具。
【発明の詳細な説明】
【技術分野】
【０００１】
本発明は、道路標識を目隠しするための道路標識目隠し具に関する。
【背景技術】
【０００２】
道路工事等により車両の交通規制を行う場合には、通常、速度制限を行う。例えば、高速道路であれば、最高速度を８０ｋｍ／ｈから５０ｋｍ／ｈに制限する。しかし、道路に設置されている速度規制標識には、法定速度が表示されているので、交通規制中は、道路標識の標識部分をカバーで覆い、表示内容が見えないように目隠しをすることが行われている。従来は、例えば、作業員が標識支柱に登って標識部分にカバーをかけることにより目隠し作業が行われていた。しかしながら、道路標識の標識部分は高い位置に設置されており、標識支柱の高さは３ｍから５ｍ程度であるので、作業には非常に手間がかかり、また、作業員が滑落又は転落する危険性もあるという問題があった。
【０００３】
なお、特許文献１には、ポリプロピレン製の板状体の周縁部の複数箇所にスリットを形成し、既設標識の表示板の周縁部の一部をスリットに嵌め込むことによって板状体を既設標識の表示板に取り付けるように構成した道路標識用カバーが記載されている。しかし、特許文献１に記載の道路標識用カバーにおいても、作業員が標識支柱に登って作業しなければならならず、危険であるという問題があった。
【先行技術文献】
【特許文献】
【０００４】
【特許文献１】特開２００３−９６７２２号公報
【発明の概要】
【発明が解決しようとする課題】
【０００５】
本発明は、このような問題に基づきなされたものであり、簡単かつ安全に道路標識に目隠しをすることができる道路標識目隠し具を提供することを目的とする。
【課題を解決するための手段】
【０００６】
本発明の道路標識目隠し具は、道路標識の標識部分を目隠しする目隠しカバーと、この目隠しカバーを道路標識にかける取付具とを備え、目隠しカバーは、道路標識の標識部分を覆うカバー本体と、カバー本体の一面側上方に設けられ、道路標識にかけるための第１の袋状部と、カバー本体の他面側上方に設けられ、取付具を挿入するための第２の袋状部とを有し、取付具は、棒状の把持部材と、この把持部材の一方の端部側に配設された棒状の複数の支持部材とを有し、複数の支持部材は、それぞれ、基端側を把持部材の側とし、基端側よりも先端側の方が互いの間隔が広くなるように配設されており、複数の支持部材の先端側を第２の袋状部に挿入し、取付具を持ち上げて、第１の袋状部を道路標識にかぶせることにより、道路標識に目隠しをすることが可能なものである。
【発明の効果】
【０００７】
本発明の道路標識目隠し具によれば、カバー本体の一面側上方に道路標識にかけるための第１の袋状部が設けられ、カバー本体の他面側上方に取付具を挿入するための第２の袋状部が設けられた目隠しカバーと、棒状の把持部材の一方の端部側に棒状の複数の支持部材が設けられ、複数の支持部材は基端側よりも先端側の方が互いの間隔が広くなるように配設された取付具とを備えるようにしたので、複数の支持部材の先端側を第２の袋状部に挿入し、取付具を持ち上げて、第１の袋状部を道路標識にかぶせることにより、標識支柱に登ることなく、簡単かつ安全に道路標識に目隠しをすることができる。
【０００８】
また、支持部材の先端側における互いの間隔を接近又は離間させるように変位可能とするようにすれば、持ち運ぶときには支持部材の先端側を閉じ、目隠しカバーを道路標識にかける際には支持部材の先端側を広げることができる。よって、容易に持ち運びすることができると共に、容易に道路標識を目隠しすることができる。
【０００９】
更に、把持部材を伸縮可能とするようにすれば、持ち運ぶときには把持部材を縮め、目隠しカバーを道路標識にかける際には伸ばすことができる。よって、容易に持ち運びすることができると共に、容易に道路標識を目隠しすることができる。
【図面の簡単な説明】
【００１０】
【図１】本発明の一実施の形態に係る道路標識目隠し具の構成を表す図である。
【図２】図１に示した道路標識目隠し具を用いる道路標識の構成例を表す図である。
【図３】図１に示した道路標識目隠し具の一部を拡大して表す図である。
【図４】図１に示した道路標識目隠し具を用いて道路標識に目隠しをする手順を表す図である。
【図５】図４に続く手順を表すものである。
【図６】図５に続く手順を表すものである。
【発明を実施するための形態】
【００１１】
以下、本発明の実施の形態について図面を参照して詳細に説明する。
【００１２】
図１は、本発明の一実施の形態に係る道路標識目隠し具１の全体構成を表すものであり、（Ａ）は一面側からみた構成を表し、（Ｂ）は他面側から見た構成を表している。図２は、図１に示した道路標識目隠し具１により目隠しをする道路標識の一構成例を表すものである。図３は、図１に示した道路標識目隠し具１の一部を拡大して表すものである。この道路標識目隠し具１は、道路標識Ｍの標識部分Ｍ１を目隠しする目隠しカバー１０と、この目隠しカバー１０を道路標識Ｍにかける取付具２０とを備えている。なお、道路標識Ｍは、例えば、図２に示したように、標識部分Ｍ１を有する円板状の標識板Ｍ２が標識支柱Ｍ３の上方に配設され、標識板Ｍ２の上方に庇Ｍ４が設けられた構造を有している。
【００１３】
目隠しカバー１０は、道路標識Ｍの標識部分Ｍ１を覆うカバー本体１１を有している。カバー本体１１の上方の形状は、例えば、道路標識Ｍの庇Ｍ４の形状に合わせた円弧状とされている。カバー本体１１の下方は、道路標識Ｍの標識部分Ｍ１を十分に覆うことができる長さに形成されている。カバー本体１１の一面側上方には、道路標識Ｍ（例えば、庇Ｍ４）にかけるための第１の袋状部１２が設けられている。カバー本体１１の他面側上方には、取付具２０を挿入するための第２の袋状部１３が設けられている。
【００１４】
第１の袋状部１２及び第２の袋状部１３は、例えば、カバー本体１１の上方に沿って三日月状に形成されている。また、第１の袋状部１２及び第２の袋状部１３の下側、すなわち、道路標識Ｍ又は取付具２０を挿入する側は、カバー本体１１の対応する位置の長さよりも長く構成され、カバー本体１１との間に緩みが形成されていることが好ましい。道路標識Ｍ又は取付具２０を挿入しやすくするためである。カバー本体１１、第１の袋状部１２、及び、第２の袋状部１３を構成する材料としては、例えば、ビニールシートなどのプラスチックシート、布、又は、布の表面をビニールでコーティングした複合シートが挙げられる。
【００１５】
カバー本体１１の下側には、例えば、カバー本体１１を標識支柱Ｍ３に対して固定する紐状の固定部材１４が取り付けられている。固定部材１４を構成する材料としては、例えば、ゴム紐、布紐、又は、ビニール紐が挙げられる。
【００１６】
取付具２０は、棒状の把持部材２１と、この把持部材２１の一方の端部側に配設された棒状の複数の支持部材２２とを有している。把持部材２１は、例えば、アルミニウムにより構成されており、長さ方向に伸縮可能とされていることが好ましい。高い位置まで取付具２０を伸ばすことができ、かつ、持ち運びを容易とすることができるからである。把持部材２１の長さは、例えば、伸ばした状態で４ｍから５ｍ程度が好ましく、縮めた状態で２ｍから３ｍ程度が好ましい。
【００１７】
各支持部材２２は、それぞれ、基端側を把持部材２１の側とし、基端側よりも先端側の方が互いの間隔が広くなるように配設されている。なお、図面では支持部材２２が４本の場合を示している。各支持部材２２は、例えば、基端側がアルミニウム又はステンレスなどの金属により構成され、先端側が繊維強化プラスチックにより構成されることが好ましい。目隠しカバー１０を傷つけないようにするためである。
【００１８】
また、各支持部材２２は、例えば、先端側における互いの間隔が接近又は離間するように変位可能とされていることが好ましい。各支持部材２２の基端側は、例えば、把持部材２１の一方の端部側に設けられた一対の配設板２３の間に挿入され、その対向面に沿って回動可能に、一対の配設板２３に対して取り付けられている。
【００１９】
配設板２３の上方には、例えば、各支持部材２２の接近又は離間を制御するための棒状の中心部材２４が、把持部材２１を延長するように設けられている。中心部材２４には、例えば、中心部材２４に沿って移動可能な移動部材２５が設けられており、移動部材２５と各支持部材２２とは、それぞれ各接続部材２６により個別に接続されている。各接続部材２６は、例えば、移動部材２５及び各支持部材２２に対してそれぞれ回動可能に接続されており、移動部材２５が中心部材２４に沿って移動することにより、各接続部材２６の傾きが変化し、各支持部材２２の先端側が接近又は離間するようになっている。
【００２０】
移動部材２５と配設板２３との間には、例えば、移動部材２５を配設板２３から離間させる方向に付勢するばねなどの付勢部材２７が配設されている。これにより、平常時は、例えば、図３（Ａ）に示したように、移動部材２５が配設板２３から離間され、各接続部材２６と中心部材２４との間の角度が小さくなり、各支持部材２２が中心部材２４に向かって互いに接近して閉じた状態となっている。
【００２１】
また、移動部材２５には、例えば、紐状部材２８が取り付けられている。紐状部材２８を引くことにより、例えば、図３（Ｂ）に示したように、移動部材２５を配設板２３の側に移動させ、各接続部材２６と中心部材２４との間の角度が大きくなり、各支持部材２２が中心部材２４から離れる方向に互いに離間して広がった状態とすることができるようになっている。なお、移動部材２５を配設板２３の側に移動させた状態に保持する保持機構、及び、この保持機構を解除する解除機構を備えるようにしてもよい。
【００２２】
図４から図６は、道路標識目隠し具１を用いて道路標識Ｍを目隠しする手順を表すものである。この道路標識目隠し具１は、例えば、次のようにして用いられる。まず、道路標識Ｍに目隠しカバー１０を取り付けるときには、例えば、図４に示したように、取付具２０の把持部材２１を伸ばし、紐状部材２８を引いて、各支持部材２２の先端側が互いに離間するように広げ、各支持部材２２の先端側を目隠しカバー１０のカバー本体１１と第２の袋状部１３との間に挿入する。次いで、例えば、図５に示したように、取付具２０を持ち上げて、目隠しカバー１０のカバー本体１１と第１の袋状部１２との間に道路標識Ｍの庇Ｍ４を挿入し、第１の袋状部１２を道路標識Ｍにかぶせる。続いて、例えば、図６に示したように、各支持部材２２の先端側を第２の袋状部１３から抜き、目隠しカバー１０の固定部材１４を標識支柱Ｍ３に固定する。取付具２０は、各支持部材２２を第２の袋状部１３から抜く際に、紐状部材２８を戻し、各支持部材を閉じるようにしてもよく、各支持部材２２を第２の袋状部１３から抜いたのちに、閉じるようにしてもよい。そののち、把持部材２１を縮める。
【００２３】
また、目隠しカバー１０を道路標識Ｍから取り外すときには、まず、例えば、目隠しカバー１０の固定部材１４を標識支柱Ｍ３から取外し、取付具２０の把持部材２１を伸ばし、紐状部材２８を引いて、各支持部材２２の先端側を広げ、各支持部材２２の先端側を目隠しカバー１０のカバー本体１１と第２の袋状部１３との間に挿入する。次いで、例えば、取付具２０を持ち上げることにより目隠しカバー１０を持ち上げ、道路標識Ｍから目隠しカバー１０を取り外す。そののち、各支持部材２２を第２の袋状部１３から抜いて閉じ、又は、各支持部材２２を閉じて第２の袋状部１３から抜き、把持部材２１を縮める。
【００２４】
このように本実施の形態によれば、カバー本体１１の一面側上方に道路標識Ｍにかけるための第１の袋状部１２が設けられ、カバー本体１１の他面側上方に取付具２０を挿入するための第２の袋状部１３が設けられた目隠しカバー１０と、棒状の把持部材２１の一方の端部側に棒状の複数の支持部材２２が設けられ、複数の支持部材２２は基端側よりも先端側の方が互いの間隔が広くなるように配設された取付具２０とを備えるようにしたので、複数の支持部材２２の先端側を第２の袋状部１３に挿入し、取付具２０を持ち上げて、第１の袋状部１２を道路標識Ｍにかぶせることにより、標識支柱Ｍ３に登ることなく、簡単かつ安全に道路標識Ｍに目隠しをすることができる。
【００２５】
また、支持部材２２の先端側における互いの間隔を接近又は離間させるように変位可能とするようにすれば、持ち運ぶときには支持部材２２の先端側を閉じ、目隠しカバー１０を道路標識Ｍにかける際には支持部材２２の先端側を広げることができる。よって、容易に持ち運びすることができると共に、容易に道路標識Ｍを目隠しすることができる。
【００２６】
更に、把持部材２１を伸縮可能とするようにすれば、持ち運ぶときには把持部材２１を縮め、目隠しカバー１０を道路標識Ｍにかける際には伸ばすことができる。よって、容易に持ち運びすることができると共に、容易に道路標識Ｍを目隠しすることができる。
【００２７】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２８】
道路標識の目隠しに用いることができる。
【符号の説明】
【００２９】
１…道路標識目隠し具、１０…目隠しカバー、１１…カバー本体、１２…第１の袋状部、１３…第２の袋状部、１４…固定部材、２０…取付具、２１…把持部材、２２…支持部材、２３…配設板、２４…中心部材、２５…移動部材、２６…接続部材、２７…付勢部材、２８…紐状部材、Ｍ…道路標識、Ｍ１…標識部分、Ｍ２…標識板、Ｍ３…標識支柱、Ｍ４…庇
【図１】
2014145220.tif 000003
【図２】
2014145220.tif 000004
【図３】
2014145220.tif 000005
【図４】
2014145220.tif 000006
【図５】
2014145220.tif 000007
【図６】
2014145220.tif 000008